【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
複数のコンテンツにそれぞれ対応する複数のオブジェクトを表示する表示手段と、
前記複数のオブジェクトのうち一以上のオブジェクトを、ユーザの操作に応じて前記表示手段上で移動先の領域へ移動する第１の移動手段と、
前記第１の移動手段で移動されたオブジェクトに対応するコンテンツの有する付帯情報から抽出条件を決定する決定手段と、
前記複数のコンテンツから、前記決定手段によって決定された抽出条件を用いてコンテンツを抽出する抽出手段と、
前記抽出手段で抽出されたコンテンツに対応する一以上のオブジェクトを、前記移動先の領域へ移動する第２の移動手段と、
を有することを特徴とする情報処理装置。
【請求項２】
前記移動先の領域は複数あり、それぞれの前記移動先の領域毎に情報を有し、
前記決定手段は、前記第１の移動手段で移動されたオブジェクトの移動先の領域が有する情報と該オブジェクトに対応するコンテンツの有する付帯情報とから抽出条件を決定することを特徴とする請求項１記載の情報処理装置。
【請求項３】
前記抽出手段によって抽出を行う際の母集合となる前記複数のコンテンツは、前記第１の移動手段によって移動されたコンテンツの移動操作の移動先となる領域に存在するコンテンツ群を対象とすることを特徴とする請求項１記載の情報処理装置。
【請求項４】
前記抽出手段によって抽出を行う際の母集合となる前記複数のコンテンツ群は、前記第１の移動手段によって移動されたコンテンツの移動操作の移動元となる領域に存在するコンテンツ群を対象とすることを特徴とする請求項１記載の情報処理装置。
【請求項５】
前記表示手段上に、抽出条件の種類を指定する領域を設定する領域設定手段を備え、前記決定手段は、前記第１の移動手段によって移動されたコンテンツの移動先を当該領域内とすることで、前記特定コンテンツの付帯情報の中から抽出条件の種類に対応した抽出条件を特定することを特徴とする請求項４記載の情報処理装置。
【請求項６】
前記決定手段は、抽出条件の種類を指定する領域内の更に特定領域への移動により、前記特定コンテンツの対応した抽出条件との一致あるいは不一致が判定可能な論理関係式の指定を行い、当該論理関係式の判定結果を情報抽出の際の条件とすることを特徴とする請求項５記載の情報処理装置。
【請求項７】
前記決定手段は、抽出条件の種類を指定する領域内の更に特定領域への移動により、前記特定のコンテンツの対応した抽出条件との数値的な近似関係の判定、または数値的な大小関係の判定が可能な条件式の指定を行い、当該条件式の判定結果を情報抽出における条件とすることを特徴とする請求項５記載の情報処理装置。
【請求項８】
情報抽出を行う際の母集合が存在する領域から前記コンテンツを外に出す操作について、当該領域からの情報抽出における除外条件の指定とすることを特徴とする請求項５記載の情報処理装置。
【請求項９】
前記抽出手段によって抽出を行う際の母集合が存在する領域の外から内に前記コンテンツを入れる操作について、当該領域への情報抽出における追加条件の指定とすることを特徴とする請求項５記載の情報処理装置。
【請求項１０】
前記抽出手段によって抽出を行う際の母集合となる前記コンテンツ群の中より、当該母集合を大きく２分割することが可能となる抽出条件の種類を付帯情報より検出する検出手段と、
前記検出手段により検出された抽出条件の種類について、表示画面上の抽出条件の種類を指定する領域に割り当てる割り当て手段と、
を備えることを特徴とする請求項５記載の情報処理装置。
【請求項１１】
前記操作手段は、前記抽出手段により母集合から抽出された前記コンテンツを、移動が行われた前記特定コンテンツの移動先の領域に移動することを特徴とする請求項５記載の情報処理装置。
【請求項１２】
複数のコンテンツにそれぞれ対応する複数のオブジェクトを表示手段に表示するする表示工程と、
前記複数のオブジェクトのうち一以上のオブジェクトを、ユーザの操作に応じて前記表示手段上で移動先の領域へ移動する第１の移動工程と、
前記第１の移動工程で移動されたオブジェクトに対応するコンテンツの有する付帯情報から抽出条件を決定する決定工程と、
前記複数のコンテンツから、前記決定工程によって決定された抽出条件を用いてコンテンツを抽出する抽出工程と、
前記抽出工程で抽出されたコンテンツに対応する一以上のオブジェクトを、前記移動先の領域へ移動する第２の移動工程と、
を有することを特徴とする情報処理装置の制御方法。
【請求項１３】
請求項１２記載の情報処理装置の制御方法をコンピュータに実行させるためのプログラム。
【手続補正２】
【補正対象書類名】明細書
【補正対象項目名】発明の名称
【補正方法】変更
【補正の内容】
【発明の名称】情報処理装置及びその制御方法、並びにプログラム  
【手続補正３】
【補正対象書類名】明細書
【補正対象項目名】０００１
【補正方法】変更
【補正の内容】
【０００１】
本発明は、情報処理装置及びその制御方法、並びにプログラムに関し、特に、アイコンデータに対するＵＩ操作により、情報の抽出条件、及び除外条件を設定可能な情報処理装置及びその制御方法、並びにプログラムに関する。
【手続補正４】
【補正対象書類名】明細書
【補正対象項目名】００１９
【補正方法】変更
【補正の内容】
【００１９】
本発明の目的は、ユーザが特にコンテンツの持つ付帯情報を意識しなくても、当該コンテンツに付帯するメタデータを、情報抽出のための条件として設定することができる情報処理装置及びその制御方法、並びにプログラムを提供することにある。
【手続補正５】
【補正対象書類名】明細書
【補正対象項目名】００２０
【補正方法】変更
【補正の内容】
【００２０】
上記目的を達成するために、請求項１記載の情報処理装置は、複数のコンテンツにそれぞれ対応する複数のオブジェクトを表示する表示手段と、前記複数のオブジェクトのうち一以上のオブジェクトを、ユーザの操作に応じて前記表示手段上で移動先の領域へ移動する第１の移動手段と、前記第１の移動手段で移動されたオブジェクトに対応するコンテンツの有する付帯情報から抽出条件を決定する決定手段と、前記複数のコンテンツから、前記決定手段によって決定された抽出条件を用いてコンテンツを抽出する抽出手段と、前記抽出手段で抽出されたコンテンツに対応する一以上のオブジェクトを、前記移動先の領域へ移動する第２の移動手段とを有することを特徴とする。
【手続補正６】
【補正対象書類名】明細書
【補正対象項目名】００２１
【補正方法】変更
【補正の内容】
【００２１】
請求項１２記載の情報処理装置の制御方法は、複数のコンテンツにそれぞれ対応する複数のオブジェクトを表示手段に表示するする表示工程と、前記複数のオブジェクトのうち一以上のオブジェクトを、ユーザの操作に応じて前記表示手段上で移動先の領域へ移動する第１の移動工程と、前記第１の移動工程で移動されたオブジェクトに対応するコンテンツの有する付帯情報から抽出条件を決定する決定工程と、前記複数のコンテンツから、前記決定工程によって決定された抽出条件を用いてコンテンツを抽出する抽出工程と、前記抽出工程で抽出されたコンテンツに対応する一以上のオブジェクトを、前記移動先の領域へ移動する第２の移動工程とを有することを特徴とする。
【手続補正７】
【補正対象書類名】明細書
【補正対象項目名】００２２
【補正方法】変更
【補正の内容】
【００２２】
請求項１３記載のプログラムは、上記情報処理装置の制御方法をコンピュータに実行させることを特徴とする。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】変更
【補正の内容】
【００２５】
本発明によれば、ユーザが特にコンテンツの持つ付帯情報を意識しなくても、該コンテンツのアイコンに対する移動操作を行うことにより、当該コンテンツに付帯するメタデータを、情報抽出のための条件として設定することが可能となる。
【手続補正１１】
【補正対象書類名】明細書
【補正対象項目名】００２６
【補正方法】変更
【補正の内容】
【００２６】
以下、本発明の実施の形態に係る情報処理装置（以下、「情報抽出装置」ともいう）を図面を参照しながら詳細に説明する。